(57)【要約】  本発明は、両方向信号送受信装置を用いた救助隊員位置追跡装置に関し、人命救助や火災鎮圧の際へ投入された救助隊員の危険状態を迅速に把握できるように、災難現場へ投入されるそれぞれの救助隊員は信号送信装置を所持しており、危急状況時に他の救助隊員が所持しているか、指揮車両に設けられたベース部へ危険信号を送出することでレスキューを要請することができる、両方向信号送受信装置を用いた救助隊員位置追跡装置に関する。尚、本発明は、信号送信装置にはモーション感知センサーを備えており、災難現場へ進入する救助隊員の動きに応じて前記信号送信装置はベース部へ信号を自動的に送出することで、救助隊員の危険状態をリアルタイムで確認することができる、両方向信号送受信装置を用いた救助隊員位置追跡装置に関する。【選択図】図７
2016530616.tif 000002
【特許請求の範囲】
【請求項１】
両方向信号送受信装置を用いた救助隊員位置追跡装置において、
発光部、サウンド出力部、または振動モジュールのうち、何れか１つ以上と、中央ボタン部、チップセット、信号送受信モジュール、モーション感知センサー、及びタイマーを備えており、バッテリで作動する信号送信装置と、
ディスプレー部、中央ボタン部、方向キー部、サウンド出力部、発光部、または振動モジュールのうち、何れか１つ以上及びチップセットと信号送受信モジュールを備えており、バッテリで作動するベース部と、
前記信号送信装置とベース部は、災難現場に設けられたＲＦＩＤと連動して救助隊員の位置分布をベース部のディスプレー部に表示するためにそれぞれ備えられたＲＦＩＤタグ及びＲＦＩＤリーダーで構成されており、
信号送信装置とベース部に備えられた信号送受信モジュール及び中央ボタン部を用いて危険信号を無線で相互送出し、それぞれのベース部や信号送信装置に備えられたサウンド出力部、発光部、振動モジュールを作動させることができ、
信号送信装置は、一定時間災難現場へ投入された救助隊員の動きがない場合、１次的に信号送信装置に備えられたチップセットを通じて、設定された時間間隔によって自動的に信号送信装置の信号送受信モジュールからベース部へ危険信号を送出し、ベース部に備えられたディスプレー部、サウンド出力部、発光部、または振動モジュールを作動させることができ、その後、当該救助隊員に対して動きが感知されない場合、２次的にベース部及び信号送信装置のサウンド出力部、発光部、または振動モジュールを動作させることができるようにして救助隊員を探索することができる、両方向信号送受信装置を用いた救助隊員位置追跡装置。
【発明の詳細な説明】
【技術分野】
【０００１】
本発明は、両方向信号送受信装置を用いた救助隊員位置追跡装置に関し、人命救助や火災鎮圧の際へ投入された救助隊員の危険状態を迅速に把握できるように、災難現場へ投入されるそれぞれの救助隊員は信号送信装置を所持しており、危急状況時に他の救助隊員が所持しているか、指揮車両に設けられたベース部へ危険信号を送出することでレスキューを要請することができ、また、信号送信装置にはモーション感知センサーを備えており、災難現場へ進入する救助隊員の動きに応じて前記信号送信装置はベース部へ信号を自動的に送出することで、救助隊員の危険状態をリアルタイムで確認することができる、両方向信号送受信装置を用いた救助隊員位置追跡装置に関する。
【背景技術】
【０００２】
一般的に、救助隊員は、人命救助や火災鎮圧の際に多くの危急状況に露出されており、実際的に現場へ投入された救助隊員は事故によって死亡する場合が頻発していた。これに対して、危険状況に直面した救助隊員の位置を迅速に把握することで救助スタッフに対する被害を最小化するために、従来は様々な先行技術が提案されていた。具体的に、韓国特許願番号第１０−１９９５−００３２３７５号の「人命救助信号手段を有する無線呼び出し機システム」においては、システムマイクロプロセッサ入力側に連結されていると共に、人体の温度を感知する温度センサー部と、構造機能を必要に応じて選択できるようにした構造機能選択キーと、マイクロプロセッサの出力部に連結されていると共に、 一般的な呼び出し音発生部と共に、固有の周波数の警報信号を発生する警報信号発生部と、この呼び出し音発生部及び警報信号発生部の出力を選択的にスピーカーに提供する出力切り替え部、固有の周波数を作り出す高周波クリスタル（数ＭＨｚ以上）などを含む構成を有している、人命救助機能を有する無線呼び出し機システムを提案したが、災難現場の室内外の温度は救助隊員の体温に多大な影響を及ぼすため、救助隊員の体温を測定して救助隊員の危急状況を判断することは実質的に不可であった。これに対して、災難現場へ投入されている救助隊員はモーション感知センサーが備えられた安全装置を所持しており、一定時間動きがない場合、前記安全装置から警報音が発生され、これは他の救助隊員が危険に直面した救助隊員の探索及び救助を可能にした。しかし、応急状況ではない場合、または一定時間動きの少ない作業をしたり、休息を取る場合、不要に警報音が鳴り、使用上の不便を発生させ、時間の設定も不可であった。さらに、応急状況の場合、危険に直面した救助隊員の近所に他の救助隊員がいない場合、警報音が聞こえず、他の救助隊員や指揮官がこれを認知することができず、救助隊員の安全の確保に制限があり、また前記安全装置は、危急状況を指揮部や他の救助隊員に受動的に認知させることができる通信手段がなかった。上記の問題点を解決するために、本願発明は、信号送受信モジュールを備えた信号送信装置及びベース部で構成されており、相互通信が可能であり、救助隊員の動きがない場合、信号送信装置のモーション感知センサーやタイマーを用いて危険信号をベース部へ自動的に送出して警報音を鳴らせることで、危険に直面した救助隊員の安全を更に確実に確保することができる、両方向信号送受信装置を用いた救助隊員位置追跡装置を提供しようとする。
【発明の概要】
【発明が解決しようとする課題】
【０００３】
本発明は、両方向信号送受信装置を用いた救助隊員位置追跡装置に関し、危急状況に直面した救助隊員の位置を追跡して救助隊員を救助することができるように、救助隊員の動きを把握して警報音を作動させることができる、信号送受信装置を用いた救助隊員位置追跡装置を提供しようとする。
【０００４】
また、本発明は、災難現場へ投入されたそれぞれの救助隊員の位置分布の確認が可能な信号送受信装置を用いた救助隊員位置追跡装置を提供しようとする。
【課題を解決するための手段】
【０００５】
上記の課題を解決するために、本発明は、信号送信装置とベース部で構成されており、バッテリで作動するベース部は、ディスプレー部と、中央ボタン部と、方向キー部と、サウンド出力部と、発光部と、振動モジュールと、チップセットと、信号送受信モジュールと、で構成されており、バッテリで作動する信号送信装置は、サウンド出力部と、中央ボタン部と、チップセットと、発光部と、振動モジュールと、信号送受信モジュールと、モーション感知センサーと、タイマーと、で構成されており、救助隊員はタイマー及びモーション感知センサーを備えている信号送信装置を所持して災難現場へ投入され、一定時間災難現場へ投入された救助隊員の動きがない場合、信号送信装置に備えられたチップセットを通じて自動的に信号送受信モジュールからベース部へ危険信号を送出し、前記危険信号はベース部に備えられた信号送受信モジュールへ伝達され、発光部、サウンド出力部、振動モジュール、またはディスプレー部及び信号送信装置のサウンド出力部、発光部振動モジュールを作動させ、ベース部を所持している救助隊員やベース部が設けられた指揮車両に搭乗した指揮官が、災難現場へ投入された当該救助隊員の危険状況を容易に認知できるようにした、両方向信号送受信装置を用いた救助隊員位置追跡装置を提供することによって解決される。
【０００６】
また、本発明は、信号送受信モジュールを備えた信号送信装置及びベース部で構成されており、相互無線通信が可能であり、ベース部や信号送信装置へ危険信号を相互呼び出しして、それぞれのベース部や信号送信装置に備えられたサウンド出力部、発光部、振動モジュールを作動させて救助隊員を探索したり、救助作業が不要であるか、救助作業を完了した場合、作動を停止させることができる、両方向信号送受信装置を用いた救助隊員位置追跡装置を提供することによって解決される。
【０００７】
また、本発明は、モーション感知センサーで災難現場へ投入された救助隊員のモーションを感知することができ、救助隊員の動きが一定の設定時間ない場合、タイマーを作動させ、ベース部に備えられた信号送受信モジュールへ危険信号を１次送出し、前記ベース部のチップセットで制御されるディスプレー部、サウンド出力部、発光部、または振動モジュールと、ベース部と同時に作動する信号送信装置のサウンド出力部、発光部、または振動モジュールを、ベース部を所持している救助隊員や車両に設けられたベース部の確認ができる指揮官などが中央ボタンを用いて、ベース部または信号送信装置のディスプレー部、サウンド出力部、発光部、または振動モジュールの作動を停止させることができ、その後、災難現場へ投入された当該救助隊員の動きが一定の設定時間ない場合、信号送信装置は２次的にベース部へ危険信号を送出し、ベース部及び信号送信装置のサウンド出力部、発光部、または振動モジュールを作動させ、ベース部を所持している救助隊員が危険に直面した救助隊員を探索して救助することができる、両方向信号送受信装置を用いた救助隊員位置追跡装置を提供することによって解決される。
【０００８】
なお、本発明は、それぞれの救助隊員が救助隊員別の識別番号を備えた信号送信装置を所持して災難現場へ投入され、これをベース部に備えられたディスプレー部を用いて、信号送信装置の危険信号の送出時に当該識別番号が点灯や表示されることで、危険に直面した救助隊員の身元を把握し、信号送信装置の所持者の位置追跡を通じて救助することができるようにした、両方向信号送受信装置を用いた救助隊員位置追跡装置を提供することによって解決される。
【０００９】
また、本発明は、信号送信装置にＲＦＩＤタグを備えており、ＲＦＩＤロケータが設けられている火災空間では、各救助隊員が所持している信号送信装置のＲＦＩＤタグ信号及びベース部に備えられたＲＦＩＤ信号リーダーを用いて、災難現場内の救助隊員の位置分布をベース部に表示するようにした、両方向信号送受信装置を用いた救助隊員位置追跡装置を提供することによって解決される。
【発明の効果】
【００１０】
本発明は、両方向信号送受信装置を用いた救助隊員位置追跡装置に関し、信号送受信モジュールを備えた信号送信装置とベース部で構成されており、相互無線通信が可能であり、ベース部や信号送信装置へ危険信号を相互送出して、それぞれのベース部や信号送信装置に備えられたサウンド出力部、発光部、振動モジュールを作動させ、救助隊員を探索したり、救助作業が不要であるか、救助作業を完了した場合、作動を停止させることができる。
【００１１】
災難現場において、危険状況に直面した救助隊員が一定時間動けない場合、信号送信装置のモーション感知センサーがこれを感知して、危急信号を１次的にベース部へ伝達し、ベース部及び信号送信装置に備えられた発光部、振動モジュール、またはサウンド出力部を作動させ、ベース部を所持している他の救助隊員または車両に設けられたベース部を確認することができる指揮官が、災難現場へ投入された救助隊員の危険状況を認知できるようにしており、前記信号送信装置を所持している救助隊員に、ベース部を所持している他の救助隊員が無電機を用いて危険状況への直面有無が把握できるようにすることで、迅速な救助ができるようにしており、信号送信装置を所持している救助隊員の動きの有無によって、安全が確認された場合、ベース部を所持している救助隊員はベース部に備えられた中央ボタンを押すことによって、１次的にベース部のサウンド出力部の作動を停止させることができるようにした。
【００１２】
また、本発明は、中央ボタンを用いてベース部の警報音の作動を停止させた後、当該信号送信装置を所持している救助隊員の連続的な動きが感知されない場合、２次的に当該信号送信装置からベース部へ危険信号が送出され、これによってベース部及び信号送信装置に備えられたサウンド出力部を同時に動作させることで、当該信号送信装置を所持している救助隊員の位置を把握して救助することができるようにした。
【００１３】
また、本発明は、モーション感知センサーを状況に応じて作動及び解除できるようにすることで、不要な信号送出による機器の誤作動やバッテリの消耗を最小化することができるようにした。
【００１４】
また、本発明は、送受信機に位置追跡が可能なＲＦＩＤ機能が設けられており、災難現場で救助隊員の位置分布をベース部に表示することができ、これを用いて救助隊員の位置を迅速に確認できるようにすることで、危急状況の発生時に、危険に直面した救助隊員を迅速に救助できるようにした。
【図面の簡単な説明】
【００１５】
【図１】両方向信号送受信装置を用いた救助隊員位置追跡装置のベース部に対する外観図である。
【図２】両方向信号送受信装置を用いた救助隊員位置追跡装置のベース部に対する外観図である。
【図３】両方向信号送受信装置を用いた救助隊員位置追跡装置のベース部に対する内部図である。
【図４】両方向信号送受信装置を用いた救助隊員位置追跡装置のベース部に対する内部図である。
【図５】両方向信号送受信装置を用いた救助隊員位置追跡装置の信号送信装置に対する外観図である。
【図６】両方向信号送受信装置を用いた救助隊員位置追跡装置の信号送信装置に対する内部図である。
【図７】両方向信号送受信装置を用いた救助隊員位置追跡装置のベース部に対する実施図である。
【発明を実施するための最良の形態】
【００１６】
以下、添付された図面を参照しながら、より詳細に説明する。
【００１７】
本発明は、バッテリで駆動される両方向信号送受信装置を用いた救助隊員位置追跡装置に関し、救助隊員が災難現場へ進入する際に所持している信号送信装置２０と、信号送信装置２０から送出される信号を受信して、危険に直面した救助隊員の位置を探索することができるベース部１０と、で構成されている。
【００１８】
より詳しくは、本発明は、バッテリで作動する信号送信装置２０は、サウンド出力部２０ａと、中央ボタン部２０ｂと、チップセット２０ｃと、発光部２０ｄと、振動モジュール２０ｅと、信号送受信モジュール２０ｆと、モーション感知センサー２０ｇと、タイマー２０ｈと、ＲＦＩＤタグ２０ｉと、で構成されており、ベース部１０もバッテリで作動され、ディスプレー部１０ｇと、中央ボタン部１０ｂと、方向キー部１０ｈと、サウンド出力部１０ａと、発光部１０ｄと、振動モジュール１０ｅと、チップセット１０ｃと、信号送受信モジュール１０ｆと、ＲＦＩＤリーダー１０ｉと、で構成されている。
【００１９】
また、本発明は、信号送信装置２０とベース部１０の信号送受信モジュール１０ｆを用いて相互無線通信が可能であり、ベース部１０に備えられた中央ボタン部１０ｂ及び方向キー部１０ｈを用いて、個々の信号送信装置２０を選択的に呼び出すことができ、信号送信装置２０に備えられた中央ボタン部２０ｂを用いてベース部１０へ危険信号を送出し、それぞれのベース部１０や信号送信装置２０に備えられたサウンド出力部１０ａ、２０ａ、発光部１０ｄ、２０ｄ、振動モジュール１０ｅ、２０ｅを作動させることで救助隊員を探索したり、救助作業を完了した場合、作動を停止させることができる。
【００２０】
また、災難現場へ投入された救助隊員は、バッテリで作動する信号送信装置２０を所持しており、これはタイマー２０ｈ及びモーション感知センサー２０ｇを備えており、一定時間災難現場へ投入された救助隊員の動きがない場合、信号送信装置２０に備えられたチップセット２０ｃを通じて自動的に信号送信装置２０の信号送受信モジュール２０ｆからベース部１０へ危険信号を送出し、前記危険信号は、ベース部１０に備えられた信号送受信モジュール２０ｆへ伝達され、チップセット１０ｃで制御される発光部１０ｄ、サウンド出力部１０ａ、振動モジュール１０ｅ、またはディスプレー部１０ｇを作動させて、ベース部１０を所持している救助隊員に、災難現場へ投入された当該救助隊員の危険状況を認知させることができるようにしており、信号送信装置２０の発光部２０ｄ、サウンド出力部２０ａ、振動モジュール２０ｅをベース部１０と同時に動作させることができるようにして、危険に直面した救助隊員の探索の効率性を向上させた。具体的にはモーション感知センサー２０ｇで災難現場へ投入された救助隊員のモーションを感知することができ、タイマー２０ｈを用いてモーション感知センサー２０ｇを通じて救助隊員の動きが一定の設定時間ない場合、危険信号送出命令を信号送信装置２０の信号送受信モジュール２０ｆへ伝達し、信号送受信モジュール２０ｆを通じて危険信号をベース部１０に備えられた信号送受信モジュール１０ｆへ危険信号を１次送出して、前記ベース部１０のチップセット１０ｃで制御されるディスプレー部１０ｇ、サウンド出力部１０ａ、発光部１０ｄ、または振動モジュール１０ｅを作動させることができ、これはベース部１０を所持している救助隊員や車両に設けられたベース部を確認することができる指揮官などは、救助作業を完了した場合、あるいは救助が不要な場合、ベース部１０に備えられた中央ボタン部１０ｂを用いて作動を停止させることができ、ベース部１０のディスプレー部１０ｇ、サウンド出力部１０ａ、発光部１０ｄ、または振動モジュール１０ｅ及び前記ベース部と同時に作動される信号送信装置２０の発光部２０ｄ、サウンド出力部２０ａ、振動モジュール２０ｅの作動を停止させることができる。その後、災難現場へ投入された当該救助隊員の動きが一定の設定時間ない場合、信号送信装置は２次的にベース部１０へ危険信号を送出して、ベース部１０及び信号送信装置２０のサウンド出力部１０ａ、２０ａ、発光部１０ｄ、２０ｄ、または振動モジュール１０ｅ、２０ｅを作動させ、ベース部１０を所持している救助隊員が危険に直面した救助隊員を探索して救助することができるようにした。つまり、信号送信装置のタイマーを用いて設定された時間間隔によって、信号送信装置を所持している救助隊員の動きがない場合、自動的に危険信号をベース部へ送出することができるように構成されており、これと同時に、信号送信装置も発光部、振動モジュール、及びサウンド出力部を動作させることができるように制作された。
【００２１】
また、本発明は、それぞれの救助隊員が救助隊員別の識別番号を備えた信号送信装置２０を所持して災難現場へ投入され、これをベース部１０に備えられたディスプレー部１０ｇを用いて、信号送信装置２０の危険信号の送出時に、当該識別番号が点灯や表示されることによって、危険に直面した救助隊員の身元を把握して、信号送信装置の所持者の位置追跡を通じて救助することができるようにした。
【００２２】
また、本発明は、作業現場及び状況の軽重によって、信号送信装置２０に備えられたモーション感知センサーボタン２０ｊを用いて作動と解除ができるようにすることで、信号送出による機器の誤作動及びバッテリの消耗を最小化することができるようにした。
【００２３】
尚、本発明は、信号送信装置２０及びベース部１０の相互間のデータ通信のために、前記無線信号は、超短波、極超短波、高周波、赤外線、ＦＭ周波数（ＲＦ）、ブルートゥース、ＲＦＩＤ、またはｗｉ−ｆｉなど、多様な形態の無線信号が使用されることができ、災難現場で前記無線信号の強化のために別途の信号強化装置を使用することができ、これは公知の技術から自明なので別途に実施しない。
【００２４】
また、本発明において、信号送信装置に備えられたＲＦＩＤタグ２０ｉを用いて、災難現場へ投入された救助隊員の位置分布をベース部に表示するために、必要に応じてＲＦＩＤロケータが設けられることができ、それぞれのＲＦＩＤロケータはそれぞれの救助隊員が所持している信号送信装置のＲＦＩＤタグ２０ｉの信号の強弱に応じてその位置を把握することができ、ベース部に備えられたＲＦＩＤリーダー１０ｉを、データをそれぞれの信号送信装置の位置分布の入力を受けてディスプレー部１０ｇに表示することで、救助隊員の位置をリアルタイムでモニターすることができる。
【００２５】
また、本発明のベース部に備えられた方向キーを用いて、災難現場へ投入された救助隊員が所持している信号送信装置の識別番号を選択し、信号送信装置２０のサウンド出力部２０ａの作動を制御することができる。
【符号の説明】
【００２６】
１０  ベース部
１０ａ  ベースサウンド出力部
１０ｂ  ベース中央ボタン部
１０ｃ  ベースチップセット
１０ｄ  ベース発光部
１０ｅ  ベース振動モジュール
１０ｆ  ベース信号送受信モジュール
１０ｇ  ディスプレー部
１０ｈ  方向キー部
１０ｉ  ＲＦＩＤリーダー
１０ｋ  ベースバッテリ部
２０  信号送信装置
２０ａ  信号送信装置のサウンド出力部
２０ｂ  信号送信装置の中央ボタン部
２０ｃ  信号送信装置のチップセット
２０ｄ  信号送信装置の発光部
２０ｅ  信号送信装置の振動モジュール
２０ｆ  信号送信装置の信号送受信モジュール
２０ｇ  モーション感知センサー
２０ｈ  タイマー
２０ｉ  ＲＦＩＤタグ
２０ｋ  信号送信装置のバッテリ部
２０ｊ  モーション感知センサーボタン
【図１】
2016530616.tif 000003
【図２】
2016530616.tif 000004
【図３】
2016530616.tif 000005
【図４】
2016530616.tif 000006
【図５】
2016530616.tif 000007
【図６】
2016530616.tif 000008
【図７】
2016530616.tif 000009
【国際調査報告】
2016530616.tif 000010
2016530616.tif 000011
2016530616.tif 000012
2016530616.tif 000013